(57)【要約】【課題】指や爪をいじられるのが嫌いな猫であっても、容易にその爪切り作業を行うことができる猫用電動爪切り器を提供すること。【解決手段】手によって掴む把持部１１を有する本体ケース１０と、本体ケース１０の先端部分に取り付けられる外刃３０と、本体ケース１０内部の外刃３０の内面に接近して配置される内刃４０と、内刃４０に連結してこの内刃４０を回転駆動する回転軸５１を有するモータ５０とを具備する。外刃３０は凹面状の板体中に複数の爪挿入孔３１を設けて構成される。外刃３０の外面に猫の爪を当接することでこの爪の先端を複数の爪挿入孔３１の何れかに挿入し、挿入した爪の先端部分を回転する内刃４０によって切断する。外刃３０の外面に猫の爪を当接するだけで容易に爪を何れかの爪挿入孔３１に挿入でき、即座に爪を切ることができる。【選択図】図２
2013192509.tif 000002
【特許請求の範囲】
【請求項１】
手によって掴む把持部を有する本体ケースと、
前記本体ケースの先端部分に取り付けられる外刃と、
前記本体ケース内部の前記外刃の内面に接近して配置される内刃と、
前記内刃に連結してこの内刃を回転駆動する回転軸を有するモータとを具備し、
前記外刃は板体中に複数の爪挿入孔を設け、且つ爪挿入孔の内径寸法を猫の爪の外径寸法と略同一として構成され、
前記外刃の外面に猫の爪を当接することでこの爪の先端を前記複数の爪挿入孔の何れかに挿入し、挿入した爪の先端部分を回転する内刃によって切断することを特徴とする猫用電動爪切り器。
【請求項２】
請求項１に記載の猫用電動爪切り器であって、
前記外刃は凹面状に形成されていることを特徴とする猫用電動爪切り器。
【請求項３】
請求項２に記載の猫用電動爪切り器であって、
前記本体ケース内部の前記モータと内刃の間に爪収納部を設けると共に、この爪収納部と前記内刃の間を爪導入路とし、
前記爪導入路はその内径が内刃付近からモータ側に向けて広がる形状であり、
且つ爪導入路内に前記内刃によって切断した爪を前記爪導入路の広がった外周側に導く爪ガイド部材を設置したことを特徴とする猫用電動爪切り器。
【発明の詳細な説明】
【技術分野】
【０００１】
本発明は、猫の爪を切るのに好適な猫用電動爪切り器に関するものである。
【背景技術】
【０００２】
従来、猫の鋭い爪によって人が怪我をしたり、また室内の柱や家具等が鋭く傷つけられてしまうといった問題があった。この問題を解決するため従来、猫の爪を定期的に磨いたり切ったりすることが行われている。猫の爪を磨くには一般にヤスリ等が用いられ、また猫の爪を切るには一般にハサミなどが用いられてきた。一方近年、前記手動のヤスリやハサミの代りに、電動のヤスリやハサミも開発されている。
【０００３】
例えば特許文献１には、電動のヤスリとして、頭部（２）に設けたセラミックヤスリ（３）を小型モータ（５）によって電動で回転し、前記セラミックヤスリ（３）に猫の爪を当接することでこれを磨く電動爪研ぎ器が開示されている。この電動爪研ぎ器は手動によって爪を研ぐ場合に比べて短時間にその作業を完了することができる。しかしながらそれでも研ぐための作業時間が必要で、特に指や爪をいじられるのが嫌いな猫の場合、その作業が終わるまでじっとしていることが困難であった。このため瞬時に爪の処理を終わらせることができる装置が求められていた。
【０００４】
一方特許文献２には置き台（２）よりも前方に突出するように爪切り部（１）を設け、この爪切り部（１）の先端に爪を挿入する挿入孔（６）を上方向に向けて開口し、この挿入孔（６）に挿入した猫の爪を挿入孔（６）内に設置した固定刃（１０）及び可動刃（１１）によって切断するペット用爪切り器が開示されている。このように構成すれば、爪を削る場合に比べて、瞬時に爪の処理を完了することができる。しかしながらこのペット用爪切り器においては、挿入孔（６）が１つで、しかもその挿入孔（６）は小さいので、猫の爪をこの挿入孔（６）に挿入する作業が困難で、指や爪をいじられるのが嫌いな猫の場合、やはりその爪切り作業が困難であった。
【先行技術文献】
【特許文献】
【０００５】
【特許文献１】特開２００２−２７８５９号公報
【特許文献２】特開２００１−９５４１３号公報
【発明の概要】
【発明が解決しようとする課題】
【０００６】
本発明は上述の点に鑑みてなされたものでありその目的は、たとえ指や爪をいじられるのが嫌いな猫であっても、容易にその爪切り作業を行うことができる猫用電動爪切り器を提供することにある。
【課題を解決するための手段】
【０００７】
本発明にかかる猫用電動爪切り器は、手によって掴む把持部を有する本体ケースと、前記本体ケースの先端部分に取り付けられる外刃と、前記本体ケース内部の前記外刃の内面に接近して配置される内刃と、前記内刃に連結してこの内刃を回転駆動する回転軸を有するモータとを具備し、前記外刃は板体中に複数の爪挿入孔を設け、且つ爪挿入孔の内径寸法を猫の爪の外径寸法と略同一として構成し、前記外刃の外面に猫の爪を当接することでこの爪の先端を前記複数の爪挿入孔の何れかに挿入し、挿入した爪の先端部分を回転する内刃によって切断することを特徴とする。このように外刃に設ける爪挿入孔を複数個としたので、外刃の外面に猫の爪を当接するだけで容易に爪を何れかの爪挿入孔に挿入することができ、即座に爪を切ることができる。このためたとえ指や爪をいじられるのが嫌いな猫であっても、容易にその爪切り作業を行うことができる。
【０００８】
また本発明は、前記外刃を凹面状に形成することが好ましい。猫の爪は円弧状に屈曲しており、このため外刃を平面状又は凸面状に形成すると、この外刃に猫の爪の先端を当接した際に外刃の面に対して爪の先端が斜めに傾いた状態になり易い。このため爪挿入孔に対して爪を斜めに挿入することとなってその挿入がスムーズに行えなくなる恐れがあり、更に爪挿入孔に挿入した爪がカットしにくくなってしまう。これに対して本発明のように外刃を凹面状に形成すれば、外刃に猫の爪の先端を当接した際に外刃の面に対して爪の先端が垂直に近い状態になる。このため爪挿入孔に対して爪を垂直に近い状態で挿入でき、その挿入がスムーズに行え、同時に爪のカットも容易に行えるようになる。
【０００９】
また本発明は、前記本体ケース内部の前記モータと内刃の間に爪収納部を設けると共に、この爪収納部と前記内刃の間を爪導入路とし、前記爪導入路をその内径が内刃付近からモータ側に向けて広がる形状とし、且つ爪導入路内に前記内刃によって切断した爪を前記爪導入路の広がった外周側に導く爪ガイド部材を設置することが好ましい。このように構成すれば、切った爪は爪導入路内の爪ガイド部材を通過する際に爪導入路の広がった外周側に導かれる。このため例えばこの猫用電動爪切り器の先端側を斜め下方に向けた際は、爪収納部側にあった爪は爪ガイド部材を再び通過して内刃側に移動しようとするが、その際爪は爪導入路の広がった外周側から細い内刃側には移動しにくい。このため爪が内刃付近に戻ることを効果的に抑制できる。
【発明の効果】
【００１０】
本発明によれば、たとえ指や爪をいじられるのが嫌いな猫であっても、容易にその爪切り作業を行うことができる。
【図面の簡単な説明】
【００１１】
【図１】猫用電動爪切り器１の側面図である。
【図２】猫用電動爪切り器１の縦断面図である。
【図３】猫用電動爪切り器１の平面図である。
【図４】図２のＡ−Ａ断面図である。
【図５】図２のＢ−Ｂ断面図である。
【図６】外刃３０付近を示す要部拡大縦断面図である。
【図７】内刃４０を示す平面図である。
【図８】猫用電動爪切り器１の使用方法説明図である。
【図９】猫用電動爪切り器１の使用方法説明図である。
【発明を実施するための形態】
【００１２】
以下、本発明の実施形態を図面を参照して詳細に説明する。
図１は本発明の一実施形態にかかる猫用電動爪切り器１の側面図、図２は猫用電動爪切り器１の縦断面図、図３は猫用電動爪切り器１の平面図、図４は図２のＡ−Ａ断面図、図５は図２のＢ−Ｂ断面図である。これらの図に示すように猫用電動爪切り器１は、本体ケース１０の先端部分に外刃３０を取り付け、一方本体ケース１０内部の前記外刃３０の内面に接近する位置に内刃４０を配置し、また本体ケース１０内部の下部にモータ５０及びバッテリー６０を収納し、モータ５０の回転軸５１の先端に前記内刃４０を取り付けて構成されている。
【００１３】
本体ケース１０は、合成樹脂製であって手に持って掴む把持部１１と、金属製であって前記外刃３０と一体に形成される先端部１３とを具備している。把持部１１は略円筒状であって底面１５を有し、内部にはその下側からバッテリー６０とモータ５０と爪導入兼収納用ケース７０を収納している。把持部１１の外周側面の下記する爪収納部７５の爪取出し用開口７９に対向する位置には開閉蓋１７が取り付けられている。開閉蓋１７はその一辺１７ａを軸にして外方に開閉される構造である。
【００１４】
バッテリー６０は充電式のバッテリーであって、図示しない位置に設けたコンセントによって充電が行われ、前記モータ５０に電力を供給する。モータ５０はその中央から猫用電動爪切り器１の先端側に向けて回転軸５１を突出しており、前記バッテリー６０によって回転軸５１が回転駆動される。
【００１５】
爪導入兼収納用ケース７０は合成樹脂製であり、中央に前記回転軸５１を貫通する軸挿通孔７１を有する軸７３を設け、またその底部にリング形状の凹部からなる爪収納部７５を設け、爪収納部７５の上部に螺旋状爪導入路７７を設けて構成されている。軸７３は円筒棒状に形成されている。爪収納部７５の外周側面の前記開閉蓋１７に対向する位置には図１に点線で示す爪取出し用開口７９が設けられている。爪取出し用開口７９は開閉蓋１７と略同一の寸法形状となっている。螺旋状爪導入路７７は２本（他の本数でも良い）の束ねた通路を螺旋状にねじった形状に形成され、それらの上端にはそれぞれ開口部７８を設け、それらの下端には前記爪収納部７５に開口する開口部７６を設けている。
【００１６】
本体ケース１０の先端部１３は金属板製であり、略円錐台形状に形成され、その先端面の部分は外刃３０となっている。先端部１３の外周側面は前記把持部１１の外径寸法と同一の底辺部分からその外径を小さくしていく下側部分１９と、下側部分１９の上辺部分に連続し且つ下側部分１９の傾斜よりも急な傾斜の上側部分２１とを有している。言い換えれば先端部１３は、把持部１１の外径寸法から急激にその外径を小さくしていく傾斜の下側部分１９と、下側部分１９に比べて外径をあまり小さくしていかない傾斜の上側部分２１とを設け、これによって両者間に凹部２３を形成している。
【００１７】
先端部１３の下側部分１９内には爪ガイド部材８０が設置され、上側部分２１内には軸支持部材１００が設置されている。
【００１８】
爪ガイド部材８０は回転軸５１に固定される中央ガイド部８１と、円錐台形状の側壁面からなる外周側壁部８３と、前記中央ガイド部８１と外周側壁部８３間を連結する４本の連結アーム部８５とを具備して構成されている。中央ガイド部８１は略円錐形状であって中央に回転軸５１を嵌合して固定する貫通孔８７を有している。中央ガイド部８１の外周側面はその上部から下部に向かって少し円弧状で凹状に湾曲しながら径を拡大していくガイド面８９になっている。外周側壁部８３は前記本体ケース１０の下側部分１９の内周面に沿うように形成されており、その上端辺には内側下方に折り返すように屈曲する爪逆流防止部９１を形成している。連結アーム部８５は平板状であり、中央ガイド部８１の下部外周と外周側壁部８３の下部内周とを連結し、各連結アーム部８５の間に４つの爪通過孔９３を設けている。そして４つの爪通過孔９３の真上には外周側壁部８３が位置し、爪ガイド部材８０の上側の開口９５は位置しない。言い換えれば真上から開口９５を見た場合、爪通過孔９３は見えず、中央ガイド部８１のガイド面８９のみが見える。
【００１９】
軸支持部材１００は回転軸５１を回転自在に支持する軸支持部１０１と、軸支持部１０１の外周から放射状に突出する３本のアーム１０３と、アーム１０３の先端に接続されるリング形状の保持部１０５とを具備して構成されている。各アーム１０３の間には開口部１０７が形成される。保持部１０５は先端部１３の上側部分２１の内周面に固定されている。軸支持部１０１は略筒状であり、その下部は外径を徐々に広げるスカート部となっている。
【００２０】
図６は外刃３０付近を示す要部拡大縦断面図である。同図及び図２，図３に示すように、外刃３０は凹面状（略球面の一部）に形成されており、その面内に複数（この例では７個）の爪挿入孔３１を設けている。各爪挿入孔３１はその内径寸法が猫の爪の外径寸法と略同一（挿入する爪がその先端から所定長さまでしか入り込まない外径寸法）であり、且つ上面側（表面側）の内径よりも下面側（裏面側、内刃４０側）の内径の方が徐々に小さくなるように形成されている。爪挿入孔３１は外刃３０の面全体にわたって形成されており、上面側において各爪挿入孔３１の外周が略触れ合うように形成されている。
【００２１】
図７は内刃４０を示す平面図である。同図及び図２，図６に示すように、内刃４０は３枚の刃４１の一端を回転軸５１の上端に取り付けて構成されている。そして前記外刃３０と内刃４０によって一組の爪カット機構（爪を協働してカットする機構）が構成される。
【００２２】
以上のように構成されている猫用電動爪切り器１において、猫の爪を切るには、まず本体ケース１０の外周側面に設置した図示しない電源スイッチをオンし、これによってモータ５０を起動して回転軸５１及び内刃４０を回転する。次に図８に示すように猫の指Ｃを上下から人の指Ｆ，Ｆで摘んで押圧することで、猫の指Ｃの先端から猫の爪Ｎを突き出す。突き出した爪Ｎの先端を前記起動している猫用電動爪切り器１の外刃３０の外面に当接し、これによってこの爪Ｎの先端を複数の爪挿入孔３１の何れかに挿入する。これによって、挿入した爪Ｎの先端部分が回転する内刃４０と外刃３０によって切断される。
【００２３】
爪Ｎの爪挿入孔３１への挿入は、爪挿入孔３１が外刃３０表面に複数あるので、特に何れかの爪挿入孔３１に爪Ｎを挿入するように狙いをつけなくても、爪Ｎの先端を外刃３０の表面に当接するだけで、極めて容易に何れかの爪挿入孔３１に爪Ｎを挿入することができ、即座に爪を切ることができる。このとき爪Ｎは爪挿入孔３１に所定長さ寸法以上は挿入できない内径寸法に形成されているので、必要以上に爪Ｎが深く切断されることはない。このためたとえ指や爪をいじられるのが嫌いな猫であっても、容易にその爪切り作業を行うことができる。またこの爪挿入孔３１は、表面側の内径よりも裏面側の内径の方を小さくしているので、容易に各爪挿入孔３１の表面側の外周を接近させることができ、この点からも容易に何れかの爪挿入孔３１に爪Ｎを挿入することができる。
【００２４】
さらに外刃３０は凹面状に形成されている。このため図８に示すように円弧状に湾曲するかぎ爪からなる猫の爪Ｎを外刃３０に当接した際に外刃３０の面に対して爪Ｎの先端が垂直に近い状態になり易い。このため爪挿入孔３１に対して爪Ｎを垂直に近い状態で挿入でき、その挿入がスムーズに行え、同時に爪Ｎのカットも容易に行えるようになる。これに対してもし外刃３０を平面状又は凸面状に形成すると、この外刃３０に猫の爪Ｎを当接した際に外刃３０の面に対して爪Ｎの先端が斜めに傾いた状態になり易い。このため爪挿入孔３１に対して爪Ｎを斜めに挿入することとなってその挿入がスムーズに行えなくなる恐れがあり、更に爪挿入孔３１に挿入した爪Ｎがカットしにくくなってしまう。
【００２５】
さらに本体ケース１０の先端部１３の外周に凹部２３を設けているので、凹部２３の部分の空間に人の指Ｆや猫の指Ｃを配置することで、湾曲する猫の爪Ｎをさらにより垂直に爪挿入孔３１に対して挿入することができ、その挿入がさらにスムーズに行え、同時に爪Ｎのカットもさらに容易に行えるようになる。
【００２６】
次にカットされた爪は、軸支持部材１００の開口部１０７を通過した後に、図９に示すように、回転軸５１と共に回転している爪ガイド部材８０の開口９５を通過し、ガイド面８９によって外周側に導かれ、爪通過孔９３を通過し、爪導入兼収納用ケース７０の螺旋状爪導入路７７内に導入される。特にこの例では爪ガイド部材８０が回転しているので、カットされた爪を回転するガイド面８９によってその外周側に導くことがより容易に行われ、より容易に爪通過孔９３に導くことができる。
【００２７】
そして２本ある螺旋状爪導入路７７の内の何れかの螺旋状爪導入路７７内に導かれた爪は、この螺旋状爪導入路７７内を螺旋状に回転しながら落下し、爪収納部７５内に落ちて溜まる。溜まった爪は、開閉蓋１７（図１参照）を開くことで本体ケース１０から外部に排出できる。
【００２８】
ところで本体ケース１０内部の内刃４０の下面側から螺旋状爪導入路７７を含むまでの部分、つまり爪収納部７５と内刃４０の間全体を爪導入路ということとすると、この爪導入路はその内径が内刃４０付近からモータ５０側に向けて広がる形状であり、且つ爪導入路内には前記内刃４０によって切断した爪を前記爪導入路の広がった外周側に導く爪ガイド部材８０を設置した構成といえる。
【００２９】
そして前述のとおり、切られた爪は爪導入路内の爪ガイド部材８０を通過する際に爪導入路の広がった外周側に導かれる。このため例えばこの猫用電動爪切り器１の先端側（上端側）を斜め下方に向けた際は、爪収納部７５側にあった爪は爪ガイド部材８０を再び通過して内刃４０側に移動しようとするが、その際爪は爪導入路の広がった外周側から細い内刃４０側には移動しにくい。このため爪が内刃付近に戻ることを抑制できる。特にこの猫用電動爪切り器１においては、爪逆流防止部９１が設けられているので、この爪逆流防止部９１に逆流してきた爪が引っ掛かり、より効果的に爪の逆流を抑制できる。さらに前記螺旋状爪導入路７７は螺旋状なので、爪収納部７５に溜まっている爪が逆流しようとした際、爪は螺旋状爪導入路７７内を螺旋状に移動しなければならず、この点からも逆流しにくい構造になっている。
【００３０】
以上本発明の実施形態を説明したが、本発明は上記実施形態に限定されるものではなく、特許請求の範囲、及び明細書と図面に記載された技術的思想の範囲内において種々の変形が可能である。なお直接明細書及び図面に記載がない何れの形状や構造や材質であっても、本願発明の作用・効果を奏する以上、本願発明の技術的思想の範囲内である。例えば上記例では本体ケース１０を把持部１１と先端部１３によって構成したが、全体を１つの部品で構成しても良く、また３つ以上の部品で構成しても良い。また爪挿入孔３１の個数が上記例に限定されないことは言うまでもない。また上記例では爪ガイド部８０を回転軸５１に固定することで回転軸５１と一体に回転する構成としたが、その代りに爪ガイド部８０を本体ケース１０側に固定し且つ回転軸５１を回転自在に支持する構成としても良い。また前記螺旋状爪導入路７７は場合によっては省略しても良い。さらに猫用電動爪切り器１を構成する各構成部品の形状、構造、材質に種々の変更が可能であることは言うまでもない。
【符号の説明】
【００３１】
１  猫用電動爪切り器
１０  本体ケース
１１  把持部
１３  先端部
１７  開閉蓋
３０  外刃
３１  爪挿入孔
４０  内刃
５０  モータ
５１  回転軸
６０  バッテリー
７０  爪導入兼収納用ケース
７５  爪収納部
７７  螺旋状爪導入路
８０  爪ガイド部材
【図１】
2013192509.tif 000003
【図２】
2013192509.tif 000004
【図３】
2013192509.tif 000005
【図４】
2013192509.tif 000006
【図５】
2013192509.tif 000007
【図６】
2013192509.tif 000008
【図７】
2013192509.tif 000009
【図８】
2013192509.tif 000010
【図９】
2013192509.tif 000011